(57)【要約】【課題】本発明は、線が滲まず、線のエッジを明瞭に記載できる磁性ペンを提供する。【解決手段】ペン先部及び軸体を備えた磁性ペンにおいて、前記ペン先部は、第１ヨーク、第２ヨーク、及び磁石を備え、前記第１ヨーク及び前記第２ヨークは、それぞれ複数の脚を備え、前記第２ヨークは、複数の貫通孔を備え、第１ヨーク及び第２ヨークを組み合わせることで、筆記表示パネルの表示面と当接する面が、前記第１ヨーク及び前記第２ヨークで形成される。これにより、磁力線が拡径方向に広がるのを防止し、線が滲まず、線のエッジを明瞭に記載できる。【選択図】図１
2020044743.tif 000002
【特許請求の範囲】
【請求項１】
ペン先部及び軸体を備えた磁性ペンにおいて、
前記ペン先部は、第１ヨーク、第２ヨーク、及び磁石を備え、
前記第１ヨーク及び前記第２ヨークは、それぞれ複数の脚を備え、
前記第２ヨークは、複数の貫通孔を備え、
第１ヨーク及び第２ヨークを組み合わせることで、筆記表示パネルの表示面と当接する面が、前記第１ヨーク及び前記第２ヨークで形成された磁性ペン。
【請求項２】
前記第１ヨーク及び前記第２ヨークのいずれか一方がコーティングされ、第１ヨーク及び第２ヨーク間に物理的にギャップが形成された請求項１に記載の磁性ペン。
【請求項３】
前記第１ヨーク及び前記第２ヨークのいずれか一方が、前記磁石の側面を覆っている請求項１に記載の磁性ペン。
【発明の詳細な説明】
【技術分野】
【０００１】
本発明は、マイクロカプセル磁気泳動表示シートを含む磁気表示パネルの表示面に文字を記載するための磁性ペンに関する。
【背景技術】
【０００２】
従来からマイクロカプセル磁気泳動表示シートを含む磁気表示パネルの表示面に文字を記載する磁性ペンは知られている。例えば、特許文献１には、磁気表示パネルに細字と太字とを記載できる磁性ペンが開示されている。
【０００３】
この磁性ペンは、ポリプロピレン製の軸体の両端に、径の異なる係合凹部が形成されており、それぞれの係合凹部に鉄製の径の異なる磁性部材が固着されている。また、軸体の両端に移動可能な磁石が挿入されている。
【０００４】
これにより、細字を使用したいときに、径の小さい磁性部材側に磁石を移動させ、径の小さい磁性部材を磁気表示パネルに当接させて記載する事で、細字を得る事ができる。また太字を使用したいときに、径の大きい磁性部材側に磁石を移動させ、径の大きい磁性部材を磁気表示パネルに当接させて記載する事で、太字を得る事ができる。
【先行技術文献】
【特許文献】
【０００５】
【特許文献１】特開２００９−２２０５３８号公報
【発明の概要】
【発明が解決しようとする課題】
【０００６】
しかしながら、特許文献１の磁性ペンは、磁性部材から外部に出た磁力線が、磁性部材に対して垂直方向のみならず、拡径方向にも出るために、磁気表示パネルに黒色を表示する磁性粒子のうち、磁性部材が当接した部分の近辺の磁性粒子にも影響を与えて、表示面に表示されるために、線が滲む、線のエッジが不明瞭になるという問題があった。
【０００７】
本発明は、磁力線が拡径方向に広がるのを防止し、線が滲まず、線のエッジを明瞭に記載できる磁性ペンを提供する事を目的とする。
【課題を解決するための手段】
【０００８】
上記目的を達成するために、請求項１に記載の発明に係る磁性ペンは、ペン先部及び軸体を備えた磁性ペンにおいて、前記ペン先部は、第１ヨーク、第２ヨーク、及び磁石を備え、  前記第１ヨーク及び前記第２ヨークは、それぞれ複数の脚を備え、前記第２ヨークは、複数の貫通孔を備え、第１ヨーク及び第２ヨークを組み合わせることで、筆記表示パネルの表示面と当接する面が、前記第１ヨーク及び前記第２ヨークで形成される。
【０００９】
請求項２に記載の発明に係る磁性ペンにおいて、前記第１ヨーク及び前記第２ヨークのいずれか一方がコーティングされ、第１ヨーク及び第２ヨーク間に物理的にギャップが形成される。
【００１０】
請求項３に記載の発明に係る磁性ペンにおいて、前記第１ヨーク及び前記第２ヨークのいずれか一方が、前記磁石の側面を覆っている。
【発明の効果】
【００１１】
本発明によれば、ペン先部及び軸体を備えた磁性ペンにおいて、前記ペン先部は、第１ヨーク、第２ヨーク、及び磁石を備える。前記第１ヨーク及び前記第２ヨークは、それぞれ複数の脚を備える。前記第２ヨークは、複数の貫通孔を備える。第１ヨーク及び第２ヨークを組み合わせることで、筆記表示パネルの表示面と当接する面が、前記第１ヨーク及び前記第２ヨークで形成される。この結果、磁力線が拡径方向に広がるのを防止し、線が滲まず、線のエッジを明瞭に記載できる。
【図面の簡単な説明】
【００１２】
【図１】本発明の実施形態に係る磁性ペンの全体形状図である。
【図２】本実施形態におけるペン先部の図１のＡ−Ａ断面図である。
【図３】本実施形態におけるペン先部の第１ヨークを示す図である。
【図４】本実施形態におけるペン先部の第２ヨークを示す図である。
【図５】本実施形態におけるペン先部の脚の配置を示す図である。
【図６】本実施形態におけるペン先部からの磁力線を示す図である。
【図７】本実施形態における第１ヨークの変形例を示す図である。
【図８】本実施形態における第２ヨークの変形例を示す図である。
【発明を実施するための形態】
【００１３】
［実施形態］
本発明の実施形態に係る磁性ペンについて、図面を参照して説明する。磁性ペンを説明するために、図１に示す矢印Yの上方向を「上」及び下方向を「下」と、矢印Xの左方向を「左」及び右方向を「右」と、表現して説明する。
【００１４】
図１に示すように、磁性ペンは、軸体１とペン先部２とを備える。軸体１は、利用者が文字等を書く際に、手で持つ部分であり、プラスチック等の非磁性材料である材質から形成される。軸体１の大きさは、上下方向長さが１０ｃｍ、直径１ｃｍ程度である。また、ペン先部２は、磁気表示パネルの表示面に当接する部分である。
【００１５】
図２は、図１のＡ−Ａ断面図であり、図２を用いてペン先部２を詳細に説明する。
【００１６】
ペン先部２は、第１ヨーク２１と、第２ヨーク２２と、第３ヨーク２３と、磁石２４と、を備える。
【００１７】
第１ヨーク２１、第２ヨーク２２及び第３ヨーク２３は、磁性材料である材質で形成される。具体的には、これらのヨークは、材質として鉄または鋼で形成される。磁石２４は、磁束を生じさせる部材で形成される。具体的には、磁石２４は、磁束を生じさせる部材としてネオジウム、電磁石で形成される。
【００１８】
磁石２４は、第１ヨーク２１、第２ヨーク２２及び第３ヨーク内に配置される。具体的には、第２ヨーク２２の内側に第１ヨーク２１が配置され、第２ヨーク２２の内側であって、第１ヨーク２１の上に磁石２４が配置される。さらに磁石２４を覆うために蓋の役目をする第３ヨーク２３を備える。
【００１９】
図３を用いて、第１ヨーク２１を詳細に説明する。第１ヨーク２１は、基板部２１１と、第１脚２１２と、第２脚２１３と、第３脚２１４と、第４脚２１５と、を備える。
【００２０】
基板部２１１の中心位置に、円筒形状の第１脚２１２が下向きに突出し、第１脚２１２の円周上であって、１２０°の間隔を空けて円筒形状の第２脚２１３、第３脚２１４、及び第４脚２１５が下向きに突出して形成されている。第１脚２１２、第２脚２１３、第３脚２１４、及び第４脚２１５の径の大きさ及び上下方向の長さは、同一である。
【００２１】
第１ヨーク２１の上側の面及び下側の面以外は樹脂でコーティングされている。具体的には、第１ヨーク２１の磁石と対面する上側の面及び第１ヨークの磁気表示パネルの表示面に当接する面以外は、樹脂でコーティングされている。なお、第１ヨーク２１及び第２ヨーク２２が接する箇所はすべて樹脂コーティングされていれば良く、第１ヨーク２１及び第２ヨーク２２は、樹脂コーティングを介して接している。これにより、第１ヨーク２１及び第２ヨーク２２との接する部分には、磁気ギャップが形成される。
【００２２】
図４を用いて、第２ヨーク２２を詳細に説明する。第２ヨーク２２は、筒部２２１と、節部２２２と、第１貫通孔２２３と、第２貫通孔２２４と、第３貫通孔２２５と、第４貫通孔２２６と、第５脚２２７と、第６脚２２８と、第７脚２２９と、を備える。
【００２３】
筒部２２１の内部に節部２２２が形成される。節部２２２には、第１ヨーク２１の第１脚２１２、第２脚２１３、第３脚２１４、及び第４脚２１５のそれぞれが挿通するための第１貫通孔２２３と、第２貫通孔２２４と、第３貫通孔２２５と、第４貫通孔２２６とが、形成される。
【００２４】
第１貫通孔２２３、第２貫通孔２２４、第３貫通孔２２５、及び第４貫通孔２２６の大きさは、樹脂コーティング後の第１ヨーク２１の第１脚２１２、第２脚２１３、第３脚２１４、及び第４脚２１５の大きさと同等もしくは若干大きい大きさを有する。
【００２５】
節部２２２の下側の面には、円筒形状の第５脚２２７、第６脚２２８、及び第７脚２２９が、円周上に１２０°の間隔を空けて、第２貫通孔２２４と、第３貫通孔２２５と、第４貫通孔２２６との各間に、下側に突出して形成される。第５脚２２７、第６脚２２８、及び第７脚２２９の上下方向の長さは、第１ヨーク２１を第２ヨーク２２の内側に配置し、第１脚２１２、第２脚２１３、第３脚２１４、第４脚２１５が下側に突出した長さと同一である。これにより、第１脚２１２、第２脚２１３、第３脚２１４、第４脚２１５、第５脚２２７、第６脚２２８、及び第７脚２２９のそれぞれの筆記表示パネルの表示面と当接する面は、面一を形成している。
【００２６】
図２及び図５を用いて、ペン先部２の筆記表示パネルの表示面と当接する面を説明する。図２に示すように磁石のＳ極が第１ヨーク２１の上側面に接するため、第１ヨーク２１がＳ極に磁化される。これにより、図５に示すように第１脚２１２、第２脚２１３、第３脚２１４、及び第４脚２１５のそれぞれの筆記表示パネルの表示面と当接する面には、Ｓ極の磁極が形成される。
【００２７】
一方、図２に示すように磁石のＮ極が第３ヨーク２４の下側面に接するため、第３ヨーク２４がＮ極に磁化される。また、第３ヨーク２４に接する第２ヨーク２２もＮ極に磁化される。これにより、図５に示すように第５脚２２７、第６脚２２８、及び第７脚２２９のそれぞれの筆記表示パネルの表示面と当接する面には、Ｎ極の磁極が形成される。
【００２８】
図６を用いて、ペン先部２の筆記表示パネルの表示面と当接する面の磁界を説明する。第５脚２２７、第６脚２２８、第７脚２２９の各面から磁力線が発生し、隣接する第１脚２１２、第２脚２１３、第３脚２１４、第４脚２１５の各面に磁力線が吸収される。
【００２９】
Ｎ極に磁化された脚に隣接してＳ極に磁化された脚が配置されているため磁力線が広がらず、収束するために、線がにじむような不具合がなくなる。
【００３０】
＜本実施形態の効果＞
本実施形態によれば、Ｎ極に磁化された脚に隣接してＳ極に磁化された脚を配置するために、第１ヨーク２１の各脚と第２ヨーク２２の脚とを千鳥格子上に組み合わせている。これにより、簡易な構造で、Ｎ極に磁化された脚に隣接してＳ極に磁化された脚を配置することができる。
【００３１】
本発明の実施形態について以上説明したが、本発明の趣旨を逸脱しない範囲において、当業者であれば種々の変更を加える事ができる。
【００３２】
（変形例１）
本実施形態において、第１ヨーク２１は、第１脚２１２、第２脚２１３、第３脚２１４、第４脚２１５を備える。第２ヨーク２２は、第５脚２２７、第６脚２２８、第７脚２２９を備える。この実施形態に代えて、図７及び図８に示すように、第１ヨーク２１は、第１脚２１２、第２脚２１３、第３脚２１４の３つの脚を備え、第２ヨーク２２は、第４脚２２７、第５脚２２８、第６脚２２９の３つを備えても良い。脚の数は、磁束の広がりを抑えるために第１ヨーク２１及び第２ヨーク２２において、２つずつ備えていれば良い。
【符号の説明】
【００３３】
１・・・軸体、２・・・ペン先部、２１・・・第１ヨーク、２１２・・・第１脚、２１３・・・第２脚、２１４・・・第３脚、２１５・・・第４脚、２２・・・第２ヨーク、２２１・・・筒部、２２２・・・節部、２２３・・・第１貫通孔、２２４・・・第２貫通孔、２２５・・・第３貫通孔、２２６・・・第４貫通孔、２２７・・・第５脚、２２８・・・第６脚、２２９・・・第７脚、２３・・・第３ヨーク、２４・・・磁石
【図１】
2020044743.tif 000003
【図２】
2020044743.tif 000004
【図３】
2020044743.tif 000005
【図４】
2020044743.tif 000006
【図５】
2020044743.tif 000007
【図６】
2020044743.tif 000008
【図７】
2020044743.tif 000009
【図８】
2020044743.tif 000010